(57)【要約】【課題】電子機器の未使用時に消費される電力を大幅に削減することのできる簡単な構成の充電装置、充電システム、充電制御方法および電子機器を提供すること。【解決手段】充電装置１５０の装着部１５１に携帯機器１００が載置されると、スイッチ部１０８は、携帯機器１００の筐体によって押圧され、オフ状態からオン状態に切り替わる。この結果、商用電流が変圧部１０５の１次側巻線に供給される。変圧部１０５で商用交流が変圧され、ＡＣ／ＤＣ変換部１０６で充電電圧に変換されると、充電電圧は電圧出力端子部１０７および電圧入力端子部１０１を介して携帯機器１００に印加される。充電制御部１０２は充電電圧を用いて電池１０３の充電制御を開始し、充電完了あるいは充電途中で、携帯機器１００が装着部１５１から取り外されると、オン状態であったスイッチ部１０８はオフ状態に切り替わり、変圧部１０５に商用交流は供給されなくなる。【選択図】    図１
2004248473.tif 000002
【特許請求の範囲】
【請求項１】
充電可能な電池を有する電子機器を装着可能な装着部を有し、前記装着部に装着された前記電子機器の前記電池を充電する充電装置であって、
商用電源から供給される商用の交流電源から直流の充電電圧を生成する充電電圧生成手段と、
前記装着部に前記電子機器が装着されると、前記商用電源と前記充電電圧生成手段とを結ぶ電源ラインを非導通状態から導通状態に切り替えるスイッチ手段と、
前記電子機器に設けられた電圧入力端子部に当接し、当該電圧入力端子部に前記充電電圧生成手段で生成された充電電圧を出力する電圧出力端子部と、
を備えたことを特徴とする充電装置。
【請求項２】
前記充電電圧生成手段は、変圧手段およびＡＣ／ＤＣ変換手段を有し、
前記スイッチ手段は、前記変圧手段の一次側巻線に直列に接続され、前記商用交流が通電されるリードスイッチであり、
前記ＡＣ／ＤＣ変換手段は、前記変圧手段の二次側巻線に接続され、前記変圧手段で変圧された交流電圧を前記直流の充電電圧に変換することを特徴とする請求項１記載の充電装置。
【請求項３】
前記リードスイッチは、前記電源ラインの一端に接続された、バネ部材からなる第１の接触子と、前記電源ラインの他端に接続された第２の接触子とを有し、
前記第１の接触子は、前記装着部に装着される前記電子機器によって押圧されて前記第２の接触子に当接することを特徴とする請求項１記載の充電装置。
【請求項４】
前記リードスイッチは、弾力性を有する絶縁部材で被覆されたことを特徴とする請求項３記載の充電装置。
【請求項５】
前記電子機器に設けられた信号出力端子部に当接し、当該信号出力端子部から出力される充電完了信号を入力する信号入力端子部と、
前記スイッチ手段と共に前記電源ラインに直列に接続され、前記信号入力端子部に前記充電完了信号が入力すると、前記電源ラインを導通状態から非導通状態に切り替える第２のスイッチ手段と、
を備えたことを特徴とする請求項１記載の充電装置。
【請求項６】
充電可能な電池を搭載する電子機器と、当該電子機器が装着部に装着されると前記電子機器の前記電池を充電する充電装置とを備えた充電システムであって、
前記電子機器は、
前記充電電圧を入力する電圧入力端子部と、
前記電圧入力端子部に入力された充電電圧を用いて前記電池の充電を制御すると共に、当該充電の完了を検知すると充電完了信号を生成する充電制御手段と、
前記充電制御手段で生成された充電完了信号を出力する信号出力端子部と、を備え、
前記充電装置は、
商用電源から供給される商用の交流電源から直流の充電電圧を生成する充電電圧生成手段と、
前記装着部に前記電子機器が装着されると、前記商用電源と前記充電電圧生成手段とを結ぶ電源ラインを非導通状態から導通状態に切り替えるスイッチ手段と、
前記電子機器に設けられた電圧入力端子部に当接し、当該電圧入力端子部に前記充電電圧生成手段で生成された充電電圧を出力する電圧出力端子部と、
前記電子機器の前記信号出力端子部に当接し、当該信号入力端子部から出力される前記充電完了信号を入力する信号入力端子部と、
前記スイッチ手段と共に前記電源ラインに直列に接続され、前記信号入力端子部に前記充電完了信号が入力されると、前記電源ラインを導通状態から非導通状態に切り替える第２のスイッチ手段と、を備えたことを特徴とする充電システム。
【請求項７】
前記電子機器は、
充電に関する情報を表示する表示手段と、
充電に関する設定を行う操作手段と、
を備えたことを特徴とする請求項６記載の充電システム。
【請求項８】
充電可能な電池を有する電子機器を充電装置の装着部に装着して、前記電子機器の電池に対する充電を制御する充電制御方法であって、
前記装着部に前記電子機器が装着されると、商用電源と充電電圧生成手段とを結ぶ電源ラインを非導通状態から導通状態に切り替える切替ステップと、
前記電源ラインが導通状態に切り替えられると、前記商用電源から供給される商用交流を用いて充電電圧を生成する充電電圧生成ステップと、
前記電子機器に設けられた電圧入力端子部に当接する電圧出力端子部を通じて、前記電圧入力端子部に前記生成された充電電圧を出力する出力ステップと、
を有することを特徴とする充電制御方法。
【請求項９】
充電電圧を入力する電圧入力端子部と、
該入力された充電電圧を用いて前記電池の充電を制御すると共に、該充電の完了を検知すると、充電完了信号を生成する充電制御手段と、
該生成された充電完了信号を出力する信号出力端子部と、を備え、
請求項５に記載の充電装置の装着部に装着されることを特徴とする電子機器。
【発明の詳細な説明】
【０００１】
【発明の属する技術分野】
本発明は、電子機器に搭載された電池を充電する充電装置、充電システム、充電制御方法および電子機器に関する。
【０００２】
【従来の技術】
従来、無駄な電力消費を低減するために、ＴＶ等の従来の電子機器は、ＡＣ交流から各部に必要な電力を供給する主電源と、主電源によって充電される２次電池と、２次電池によりバックアップされ時刻を指定するタイマーと、２次電池の電力を使用して主電源に供給されるＡＣ交流をオフからオンに切り替えるリレー回路等とを備えている。当該従来の電子機器にあっては、リレー回路により主電源が切断されている時は２次電池によってタイマーの動作を維持し、タイマーが所定の時刻を計時すると当該タイマーからの信号に従ってリレー回路が駆動し、主電源をオンに切り替えている（例えば、特許文献１参照）。
【０００３】
【特許文献１】
特開２０００−７８７５１号公報（第２頁）
【０００４】
【発明が解決しようとする課題】
しかしながら、上記従来の電子機器に使用される充電装置は、リレー回路によってＡＣ交流とのオン／オフが切り替えられる主電源によって２次電池が充電され、リレー回路は２次電池によってバックアップされたタイマーによって制御されるといった複雑な構成である。また、電子機器が未使用であっても２次電池に充電された電力は無駄に消費されているため、電力消費を十分に抑えることができなかった。また、リチウムイオンバッテリ等の２次電池は充放電の繰り返しによって寿命が短くなるため、寿命の２次電池を備えた電子機器の主電源をオンしてもリレー回路を駆動するための充電量が足らず、電子機器が正しく動作しなくなる恐れがあった。さらに、携帯機器の充電装置として、このような省電力システムが実現されているものは存在しなかった。
【０００５】
本発明は、上記従来の事情に鑑みてなされたものであって、電子機器の未使用時に消費される電力を大幅に削減することのできる簡単な構成の充電装置、充電システム、充電制御方法および電子機器を提供することを目的としている。
【０００６】
【課題を解決するための手段】
上記目的を達成するために、本発明に係る充電装置は、充電可能な電池を有する電子機器を装着可能な装着部を有し、前記装着部に装着された前記電子機器の前記電池を充電する充電装置であって、商用電源から供給される商用の交流電源から直流の充電電圧を生成する充電電圧生成手段と、前記装着部に前記電子機器が装着されると、前記商用電源と前記充電電圧生成手段とを結ぶ電源ラインを非導通状態から導通状態に切り替えるスイッチ手段と、前記電子機器に設けられた電圧入力端子部に当接し、当該電圧入力端子部に前記充電電圧生成手段で生成された充電電圧を出力する電圧出力端子部と、を備えている。したがって、電子機器の未使用時に消費される電力を大幅に削減することのできる充電装置を簡単な構成で実現することができる。
【０００７】
また、本発明に係る充電装置は、前記充電電圧生成手段は、変圧手段およびＡＣ／ＤＣ変換手段を有し、前記スイッチ手段は、前記変圧手段の一次側巻線に直列に接続され、前記商用交流が通電されるリードスイッチであり、前記ＡＣ／ＤＣ変換手段は、前記変圧手段の二次側巻線に接続され、前記変圧手段で変圧された交流電圧を前記直流の充電電圧に変換することが望ましい。
【０００８】
また、本発明に係る充電装置は、前記リードスイッチは、前記電源ラインの一端に接続された、バネ部材からなる第１の接触子と、前記電源ラインの他端に接続された第２の接触子とを有し、前記第１の接触子は、前記装着部に装着される前記電子機器によって押圧されて前記第２の接触子に当接することが望ましい。
【０００９】
また、本発明に係る充電装置は、前記リードスイッチは、弾力性を有する絶縁部材で被覆されている。したがって、電子機器を商用電源から防護した安全性の高い充電装置を提供することができる。
【００１０】
また、本発明に係る充電装置は、前記電子機器に設けられた信号出力端子部に当接し、当該信号出力端子部から出力される充電完了信号を入力する信号入力端子部と、前記スイッチ手段と共に前記電源ラインに直列に接続され、前記信号入力端子部に前記充電完了信号が入力すると、前記電源ラインを導通状態から非導通状態に切り替える第２のスイッチ手段と、を備えている。したがって、電子機器が充電装置に装着された状態で充電が完了した場合も、充電装置で消費される電力を削減できる。
【００１１】
また、本発明に係る充電システムは、充電可能な電池を搭載する電子機器と、当該電子機器が装着部に装着されると前記電子機器の前記電池を充電する充電装置とを備えた充電システムであって、前記電子機器は、前記充電電圧を入力する電圧入力端子部と、前記電圧入力端子部に入力された充電電圧を用いて前記電池の充電を制御すると共に、当該充電の完了を検知すると充電完了信号を生成する充電制御手段と、前記充電制御手段で生成された充電完了信号を出力する信号出力端子部と、を備え、前記充電装置は、商用電源から供給される商用の交流電源から直流の充電電圧を生成する充電電圧生成手段と、前記装着部に前記電子機器が装着されると、前記商用電源と前記充電電圧生成手段とを結ぶ電源ラインを非導通状態から導通状態に切り替えるスイッチ手段と、前記電子機器に設けられた電圧入力端子部に当接し、当該電圧入力端子部に前記充電電圧生成手段で生成された充電電圧を出力する電圧出力端子部と、前記電子機器の前記信号出力端子部に当接し、当該信号入力端子部から出力される前記充電完了信号を入力する信号入力端子部と、前記スイッチ手段と共に前記電源ラインに直列に接続され、前記信号入力端子部に前記充電完了信号が入力されると、前記電源ラインを導通状態から非導通状態に切り替える第２のスイッチ手段と、を備えている。
【００１２】
また、本発明に係る充電システムは、前記電子機器は、充電に関する情報を表示する表示手段と、充電に関する設定を行う操作手段と、を備えていることが望ましい。
【００１３】
また、本発明に係る充電制御方法は、充電可能な電池を有する電子機器を充電装置の装着部に装着して、前記電子機器の電池に対する充電を制御する充電制御方法であって、前記装着部に前記電子機器が装着されると、商用電源と充電電圧生成手段とを結ぶ電源ラインを非導通状態から導通状態に切り替える切替ステップと、前記電源ラインが導通状態に切り替えられると、前記商用電源から供給される商用交流を用いて充電電圧を生成する充電電圧生成ステップと、前記電子機器に設けられた電圧入力端子部に当接する電圧出力端子部を通じて、前記電圧入力端子部に前記生成された充電電圧を出力する出力ステップと、を有する。
【００１４】
また、本発明に係る電子機器は、充電電圧を入力する電圧入力端子部と、該入力された充電電圧を用いて前記電池の充電を制御すると共に、該充電の完了を検知すると、充電完了信号を生成する充電制御手段と、該生成された充電完了信号を出力する信号出力端子部と、を備え、請求項５に記載の充電装置の装着部に装着される。
【００１５】
【発明の実施の形態】
以下、本発明に係る充電装置、充電システム、充電制御方法および電子機器の実施の形態について、［第１の実施形態］、［第２の実施形態］、［第３の実施形態］の順に図面を参照して説明する。
【００１６】
［第１の実施形態］
図１は、本発明に係る第１の実施形態の充電システムを示すブロック図である。同図に示すように、第１の実施形態の充電システムは、特許請求の範囲の電子機器に該当する携帯機器１００と、充電装置１５０とを備えて構成されている。
【００１７】
携帯機器１００は、筐体内に設けられた電力供給源としての電池１０３と、充電電圧が印加される電圧入力端子部１０１と、電圧入力端子部１０１に接続され電池１０３の充電を制御する充電制御部１０２とを有する。なお、電圧入力端子部１０１は特許請求の範囲の電圧入力端子部に該当し、充電制御部１０２は充電制御手段に該当する。
【００１８】
また、充電装置１５０は、携帯機器１００を装着するための装着部１５１と、充電電圧を生成する充電電圧生成部１５２とを有している。なお、充電電圧生成部１５２は特許請求の範囲の充電電圧生成手段に該当する。充電電圧生成部１５２は、商用電源供給部１０４と、特許請求の範囲の変圧手段に該当する変圧部１０５と、ＡＣ／ＤＣ変換手段に該当するＡＣ／ＤＣ変換部１０６とから構成される。また、装着部１５１は、電圧出力端子部に該当する電圧出力端子部１０７と、特許請求の範囲のスイッチ手段に該当するスイッチ部１０８とから構成される。
【００１９】
以下、充電装置１５０の充電電圧生成部１５２および装着部１５１を構成する各構成要素について説明する。まず、充電電圧生成部１５２を構成する商用電源供給部１０４は、図示しない商用電源から供給される電力を充電装置１５０に供給するものである。また、変圧部１０５は、商用電源供給部１０４を介して商用電源から供給された交流電源を所定電圧の交流に変圧するものであり、１次側巻線および２次側巻線を有するトランスによって実現される。
【００２０】
また、ＡＣ／ＤＣ変換部１０６は、変圧された所定電圧の交流を直流に変換するものであり、ダイオード等の整流器および平滑回路によって実現される。なお、ＡＣ／ＤＣ変換部１０６によって直流に変換された電圧が携帯機器１００への充電電圧となる。変圧部１０５の２次側巻線にはリード線１１２，１１３を介してＡＣ／ＤＣ変換部１０６が接続されており、ＡＣ／ＤＣ変換部１０６で生成された充電電圧はリード線１１４，１１５を通じて電圧出力端子部１０７に導かれる。
【００２１】
次に、装着部１５１を構成する電圧出力端子部１０７は、携帯機器１００が装着部１５１に装着されたとき、携帯機器１００の電圧入力端子部１０１に当接して携帯機器１００に充電電圧を印加するものである。また、スイッチ部１０８は、商用電源供給部１０４から変圧部１０５への電源供給をオンオフ切り替えるものである。
【００２２】
より詳しくは、スイッチ部１０８は、変圧部１０５の１次側巻線と商用電源供給部１０４とを結ぶ電源ライン（リード線１０９，１１０，１１１）に直列に接続されたリードスイッチであって、リード線１０９の端部に接続されたバネ部材から成る特許請求の範囲の第１の接触子に該当する接触子１０８ａと、リード線１１０の端部に接続された第２の接触子に該当する固定の接触子１０８ｂとによって構成される。携帯機器１００が装着部１５１に装着されると、携帯機器１００の重みによって接触子１０８ａが撓んで接触子１０８ｂに当接し、導通（オン）状態となる。
【００２３】
なお、図１には示されていないが、スイッチ部１０８には商用の交流電流が直接通電されるため、安全性を考慮して、接触子１０８ａ，１０８ｂは弾力性を有する絶縁部材としてのゴム部材によって被覆されている。図２は、ゴム部材によって被覆された構成のスイッチ部１０８を示す構成図である。なお、同図（Ａ）は携帯機器１００が装着部１５１に装着されていないときのスイッチ部１０８を示し、同図（Ｂ）は携帯機器１００が装着部１５１に装着されたときのスイッチ部１０８を示す。
【００２４】
図２（Ｂ）に示すように、携帯機器１００が装着部１５１に装着されると、携帯機器１００の重みによってゴム部材１０８ｃが撓んで接触子１０８ａが接触子１０８ｂに当接する。この結果、スイッチ部１０８は電気的に外部と絶縁された状態で電源ライン（リード線１０９、１１０、１１１）が導通するため、変圧部１０５の１次側巻線に交流電源が供給される。
【００２５】
以下、上記構成の充電システムの動作（充電制御方法）について説明する。携帯機器１００を充電装置１５０の装着部１５１に装着すると、携帯機器１００の重みによってスイッチ部１０８はそれまでの非導通（オフ）状態から導通（オン）状態に切り替わる。これにより、商用の交流電流が変圧部１０５の１次側巻線に供給され、変圧部１０５では充電電圧に見合った所定電圧の交流に変圧され、ＡＣ／ＤＣ変換部１０６に出力される。
【００２６】
ＡＣ／ＤＣ変換部１０６は、変圧された交流電圧を直流電圧（充電電圧）に変換し、リード線１１４，１１５を通じて電圧出力端子部１０７に出力する。携帯機器１００が充電装置１５０の装着部１５１に装着されていれば電圧出力端子部１０７と電圧入力端子部１０１は当接しているため、電圧出力端子部１０７を介して電圧入力端子部１０１に充電電圧が印加されると、携帯機器１００では充電制御部１０２が電池１０３の充電制御を開始する。また、充電完了または充電途中で、携帯機器１００を装着部１５１から取り外した場合、それまでオン状態であったスイッチ部１０８はオフ状態に切り替わるため、変圧部１０５に交流電源は供給されなくなり、充電動作は停止する。
【００２７】
以上説明したように、第１の実施形態の充電システムによれば、携帯機器１００を充電していない間、充電装置１５０は商用電源からの電力供給を受けない。したがって、この間、変圧部１０５で電力は消費されず、無駄な電力消費を大幅に削減することができる。また、２次電池等のバックアップ電源も存在しないため、そのための電力消費も発生しない。
【００２８】
なお、第１の実施形態では、変圧部１０５により商用の交流電圧を一旦、充電電圧に見合った所定の交流電圧に変圧し、その後、ＡＣ／ＤＣ変換部１０６によって交流電圧を直流電圧に変換している。しかし、充電電圧生成部１５２としては、このような変圧部１０５およびＡＣ／ＤＣ変換部１０６の構成に限らず、例えばスイッチングレギュレータを設け、これにより商用の交流電圧から充電電圧に変換する構成としても良い。
【００２９】
［第２の実施形態］
図３は、本発明に係る第２の実施形態の充電システムを示すブロック図である。同図において、図１（第１の実施形態）と重複する部分には同一の符号を付して説明を省略する。第２の実施形態では、第１の実施形態の携帯機器１００の代わりに携帯機器２００を備え、第１の実施形態の充電装置１５０の代わりに充電装置２５０を備えている。また、充電装置２５０は、携帯機器１００を装着するための装着部２５１と、充電電圧を生成する充電電圧生成部２５２とを有している。
【００３０】
本実施形態の携帯機器２００は、第１の実施形態の携帯機器１００が有する構成要素に加えて、特許請求の範囲の信号出力端子部に該当する出力端子部２１６を有している。また、装着部２５１は、第１の実施形態の装着部１５１が有する構成要素に加えて、信号入力端子部に該当する信号入力端子部２１７を有している。さらに、充電電圧生成部２５２は、第１の実施形態の充電電圧生成部１５２が有する構成要素に加えて、第２のスイッチ手段に該当する第２のスイッチ部２１８を有している。なお、第２のスイッチ部２１８には制御端子２１８ａが含まれている。
【００３１】
第２のスイッチ部２１８は、スイッチ部１０８の接触子１０８ｂと変圧部１０５の一次側巻線とを結ぶリード線１０９中に直列に設けられており、リード線２１９を通じて装着部２５１の信号入力端子部２１７から制御端子２１８ａに送られる信号に従ってオンオフ動作を行う。なお、信号入力端子部２１７は、携帯機器２００が装着部２５１に装着されたとき、携帯機器２００の出力端子部２１６と当接する。出力端子部２１６からは、充電完了信号が出力される。
【００３２】
充電完了信号は、充電制御部１０２が充電完了を検出すると出力される。充電制御部１０２が充電完了を検出する方式としては、例えば、満充電時における電池の温度上昇率から充電完了を検出するいわゆるΔＴ検出方式や、満充電時における電池の電圧降下から充電完了を検出するいわゆるΔＶ検出方式等が知られているが、特に限定されるものではない。
【００３３】
充電制御部１０２は、充電完了を検出すると、信号出力端子部２１６から３．０Ｖの一定電圧である充電完了信号を出力する。一方、充電中、信号出力端子部２１６を高電位あるいはゼロ電位のいずれの信号も出力しない開放状態にする。さらに、充電完了後、電圧出力端子部１０７に電圧入力端子部１０１が当接している間、充電制御部１０２は信号出力端子部２１６から充電完了信号を出力し続け、電圧出力端子部１０７から電圧入力端子部１０１が離間すると、信号出力端子部２１６を高インピーダンス状態（開放状態）にする。
【００３４】
充電装置２５０では、信号出力端子部２１６が開放状態であっても、リード線２１９とリード線１１４との間に、数ｋ〜数ＭΩといった比較的抵抗値の高い固定抵抗器を実装しておくことで、信号入力端子部２１７の電圧レベルはゼロ電位に維持される。ここでは、ＡＣ／ＤＣ変換部１０６から充電電圧が出力されるリード線１１４，１１５は、それぞれゼロ電位、高電位となっている。このため、信号入力端子部２１７が開放状態であっても、第２のスイッチ部２１８の制御端子２１８ａに入力する信号が不安定な状態になることはなくなり、安定したスイッチ動作が可能となる。
【００３５】
以下、上記構成の充電システムの動作（充電制御方法）について説明する。前述したように、携帯機器２００の充電が行われている間、信号出力端子部２１６からは高電位あるいはゼロ電位のいずれの信号も出力されず、信号出力端子部２１６は開放状態となる。一方、信号出力端子部２１６と当接する信号入力端子部２１７では、リード線２１９とリード線１１４との間に高抵抗値を有する固定抵抗器が実装されているため、充電中はゼロ電位が保証される。
【００３６】
携帯機器２００の充電開始前、前述したように、開放状態にある信号入力端子部２１７はゼロ電位に維持されるため、第２のスイッチ部２１８はオン状態となり、スイッチ部１０８の接触子１０８ｂと変圧部１０５の１次側巻線とを結ぶリード線１１０は導通状態になる。そして、携帯機器２００が装着部２５１に装着されると、スイッチ部１０８の接触子１０８ａは携帯機器２００によって押圧されて接触子１０８ｂと当接するためオン状態となり、電源供給部１０４、変圧部２０５の１次側巻線、第２のスイッチ部２１８、スイッチ部１０８はリード線１１１，１１０，１０９を通じて接続されるため、変圧部２０５に商用の交流電源が供給され、充電が開始される。
【００３７】
この後、携帯機器２００の充電が終了すると、充電制御部１０２は、それまで開放状態であった信号出力端子部２１６に一定電圧（例えば３．０Ｖ）の充電完了信号を出力する。信号入力端子部２１７およびリード線２１９を通じて制御端子２０８ａに充電完了信号が入力されると、第２のスイッチ部２１８はオフし、リード線１１０は非導通状態となる。これにより、変圧部２０５への商用の交流電源の供給は遮断され、充電装置２５０各部への電力供給は停止するため、携帯機器２００への充電は行われなくなる。
【００３８】
なお、一旦、満充電となって携帯機器２００が装着部２５１から取り外されることなく、再充電が必要になった場合、充電制御部１０２は信号出力端子部２１６を開放状態にする。これにより、第２のスイッチ部２１８の制御端子２１８ａに入力される信号はゼロ電位となるので、前述した動作と同様、第２のスイッチ部２１８はオンになり、リード線１１０は導通状態となる。そして、再び変圧部２０５に商用の交流電源が供給され、充電装置２５０各部に電力が供給され、携帯機器２００への充電が再開される。
【００３９】
以上説明したように、第２の実施形態の充電システムによれば、充電装置２５０の装着部２５１に携帯機器２００が装着された状態で充電が完了した場合、充電装置２５０内の変圧部１０５には商用電源からの電力供給を受けない。したがって、この間、変圧部１０５で電力は消費されず、無駄な電力消費を大幅に削減することができる。また、装着部２５１に携帯機器２００が装着された状態で再充電が必要となった場合、ユーザが意識することなく自動的に携帯機器２００への充電を再開できる。
【００４０】
［第３の実施形態］
図４は、本発明に係る第３の実施形態の充電システムを示すブロック図である。同図において、図３（第２の実施形態）と重複する部分には同一の符号を付して説明を省略する。第３の実施形態では、第２の実施形態の携帯機器２００の代わりに携帯機器３００を備えている。本実施形態の携帯機器３００は、第２の実施形態の携帯機器２００が有する構成要素に加えて、特許請求の範囲の表示手段に該当する表示部３０５と、操作手段に該当するキー入力部３０６と、制御部３０４とを有している。
【００４１】
制御部３０４は、ユーザに通知する情報を表示する表示部３０５やユーザによるキー操作を受け付けるキー入力部３０６を制御する他、携帯機器３００全体を制御する。また、制御部３０４は、充電制御部１０２と情報のやり取りを行うことによって表示部３０５に充電に関する情報を表示させたり、キー入力部３０６からユーザによるキー操作を受けることによって充電に関する各種設定を行うことも可能である。なお、充電動作については、第２の実施形態と同様であるため、ここではその説明を省略する。
【００４２】
以上説明したように、第３の実施形態の充電システムによれば、ユーザは表示部３０５の表示内容から充電状態を知ることができる他、充電に関する設定、例えば充電開始時刻の設定等を行うことができる。充電開始時刻を設定した場合、設定された充電開始時刻に達するまで、携帯機器３００が装着部２５１に載置されている間、充電制御部１０２は、制御部３０４の指示に従って、信号出力端子部２１６に充電完了信号に相当する電圧レベルの信号を出力し続けて待機し、充電開始時刻に達すると信号出力端子部２１６を開放状態にするといった動作が可能となる。
【００４３】
なお、第１の実施形態の携帯機器１００と第２の実施形態の充電装置２５０とを組み合わせた充電システムとしても良い。この場合、携帯機器１００には充電完了信号を出力する信号出力端子部２１６が設けられていないため、携帯機器１００の充電が完了すると、ユーザが携帯機器１００を装着部２５１から取り外すことで、充電装置２５０内の変圧部１０５に商用の交流電源が供給されないようにする。
【００４４】
また、第１〜第３の実施形態では、携帯機器を装着部に装着すると携帯機器の重みによってスイッチ部１０８の接触子１０８ａが接触子１０８ｂに当接するが、単に携帯機器と装着部を嵌合させることにより接触子１０８ａが押圧される構造であっても良い。
【００４５】
【発明の効果】
以上説明したように、本発明に係る充電装置、充電システム、充電制御方法および電子機器によれば、電子機器の未使用時に消費される電力を大幅に削減することのできる充電装置を簡単な構成で実現することができる。また、電子機器が充電装置に装着された状態で充電が完了した場合も、充電装置で消費される電力を削減できる。
【図面の簡単な説明】
【図１】本発明に係る第１の実施形態の充電システムを示すブロック図
【図２】ゴム部材によって被覆された構成のスイッチ部を示す構成図
【図３】本発明に係る第２の実施形態の充電システムを示すブロック図
【図４】本発明に係る第３の実施形態の充電システムを示すブロック図
【符号の説明】
１００，２００，３００  携帯機器
１０１  電圧入力端子部
１０２  充電制御部
１０３  電池
１０５  変圧部
１０６  ＡＣ／ＤＣ変換部
１０７  電圧出力端子部
１０８  スイッチ部
１０８ａ，１０８  接触子
１０８ｃ  ゴム部材
１５０，２５０  充電装置
１５１  装着部
１５２  充電電圧生成部
２１６  信号出力端子部
２１７  信号入力端子部
２１８  第２のスイッチ部
２１８ａ  制御端子
【図１】
2004248473.tif 000003
【図２】
2004248473.tif 000004
【図３】
2004248473.tif 000005
【図４】
2004248473.tif 000006